(57)【要約】【課題】画像表示に使用されるプラズマディスプレイパネルにおいて、ディザ法や誤差拡散法といった表示方法を用いたときに、書き込み放電のミスによるちらつきや不良表示を目立ちにくくすることを目的とする。【解決手段】サブフィールドを複数のサブフィールド群に分け、表示する輝度の最も低いサブフィールド群をフィールドの最後に配置することにより、書き込みミスによるちらつきを目立ちにくくし、不良表示を防止することができる。【選択図】  図１
2005004044.tif 000002
【特許請求の範囲】
【請求項１】
１フィールドを複数のサブフィールドに分割し、かつ各サブフィールドに初期化期間、書き込み期間、維持期間を設けて駆動するプラズマディスプレイパネルの駆動方法であって、前記サブフィールドを２つ以上のサブフィールド群に分割し、前記サブフィールド群のうち、表示する輝度の最も小さいサブフィールド群をフィールドの最後に配置したことを特徴とするプラズマディスプレイパネルの駆動方法。
【請求項２】
サブフィールド群のそれぞれにおいて、最初のサブフィールドの前記初期化期間に印加される電圧波形が、前記サブフィールド群において２番目以降のサブフィールドの前記初期化期間に印加される電圧波形とが異なることを特徴とする請求項１に記載のプラズマディスプレイパネルの駆動方法。
【請求項３】
サブフィールド群の最初のサブフィールドにおいて初期化期間に印加される電圧波形は、すべてのセルを放電させ、壁電荷を調整する電圧波形であることを特徴とする請求項２に記載のプラズマディスプレイパネルの駆動方法。
【請求項４】
サブフィールド群の２番目以降のサブフィールドにおいて初期化期間に印加される電圧波形は、前記サブフィールドの直前に配置されたサブフィールドを点灯させたセルのみを放電させ、壁電荷を調整することを特徴とする請求項３に記載のプラズマディスプレイパネルの駆動方法。
【発明の詳細な説明】
【０００１】
【発明の属する技術分野】
本発明は、テレビや情報表示などに用いられるＡＣ型のプラズマディスプレイパネルの駆動方法に関するものである。
【０００２】
【従来の技術】
ＡＣ面放電型のプラズマディスプレイパネル（以下、ＰＤＰという）の斜視図を図３に示す。図３に示すように、従来のパネル１では、ガラス製の表面基板２とガラス製の背面基板３とが対向して配置されているとともに、その間隙には放電によって紫外線を放射するガス、例えばネオンおよびキセノンが封入されている。表面基板２上には、誘電体層６および保護層７で覆われた対を成す帯状の走査電極４と維持電極５とからなる電極群が互いに行方向に平行配列されている。
【０００３】
走査電極４および維持電極５はそれぞれ、導電性を高めるための金属母線４Ａ，５Ａと透明電極４Ｂ，５Ｂとから構成されている。透明電極４Ｂ，５Ｂは、放電を広げ、より大きな容積で放電が起こるようにする働きを有している。
【０００４】
背面基板３上には、走査電極４および維持電極５と直交する列方向に第２誘電体層１０に覆われた帯状の書き込み電極１１が互いに平行配列されており、またこの各書き込み電極１１を隔離し、かつ放電空間を形成するための帯状の隔壁８が書き込み電極１１の間に設けられている。また、誘電体層６上から隔壁８の側面にわたって蛍光体層９が形成されている。
【０００５】
このパネル１は表面基板２側から画像表示を見るようになっており、放電空間内での走査電極４と維持電極５との間の放電により発生する紫外線によって、蛍光体層９を励起し、この蛍光体層９からの可視光を表示発光に利用するものである。
【０００６】
走査電極４と維持電極５、書き込み電極１１それぞれ１本ずつを１組として、１つの放電セルが形成される。１つの放電セルは、１つの表示画素のうち、１色を表現する単位を表しており、通常、赤を表現する放電セル、青を表現するセル、緑を表現するセルの３つの放電セルを１組として１つの表示画素を形成する。
【０００７】
次に、従来のＰＤＰの駆動方法について図４〜図６を用いて説明する。
【０００８】
従来のＰＤＰの駆動方法は、図４に示すように１フィールドを複数のサブフィールドに分割する。それぞれのサブフィールドで表示できる明るさが異なり、これらのサブフィールドの組み合わせによって階調表示を行う。例えば、１つのフィールドを８つのサブフィールドに分割し、各サブフィールドがそれぞれ１，２，４，８，１６，３２，６４，１２８の明るさを表現するものとすれば、その組み合わせによって、２５６階調の表現が可能である。
【０００９】
各サブフィールドは、それぞれ初期化期間、書き込み期間、維持期間から構成されていて、維持期間の長さでそのサブフィールドの表示する明るさが変わる。
【００１０】
実際に表示できる階調数に対して、より階調性を高めるために、ディザ法、誤差拡散法といった表示方法が用いられる。これらの方法は、複数の画素で階調を空間的に分散させ、疑似的にその中間階調を表現しようとするものであり、ディスプレイはもちろん印刷機、画像処理の分野で一般的に用いられる方法である。
【００１１】
図５（ａ）〜（ｄ）に、走査電極４、維持電極５、書き込み電極１１の各電極に印加される電圧波形の一例、およびそれによる放電発光を示す。図５（ａ）は走査電極４、図５（ｂ）は維持電極５、図５（ｃ）は書き込み電極１１にそれぞれ印加する電圧波形の例である。図５（ｄ）は、この駆動波形によって起こる放電発光の強度を模式的に表す。
【００１２】
ＡＣ型ＰＤＰは、印加した電圧と、放電によって誘電体層６などに蓄積された電荷（壁電荷と呼ぶ）による電圧との合成による電界によって放電を制御する。
【００１３】
図５において、まず走査電極４に初期化パルスＶｓｅｔを印加し、パネルの放電セル内の電荷状態を初期化し、さらに維持電極５に電圧Ｖｅを印加し、走査電極の電位を徐々に−Ｖａに変化させることによって、誘電体層６、蛍光体層９に蓄積された電荷を続く書き込み期間に向けて調整する。次に選択するセル以外の走査電極４にバイアス電圧Ｖｓｃａｎをかけておき、選択するセルにはバイアス電圧Ｖｓｃａｎを取り除くタイミングに合わせて書き込み電極１１に書き込みパルスＶｄを印加し、書き込み放電を起こす。この書き込み放電によって、誘電体層６、保護層７、および蛍光体層９表面に電荷が蓄積される。同様の書き込み動作をパネル全面にわたって順次行い、表示するセルを選択する。
【００１４】
次に維持期間において、書き込み電極１１を接地し、走査電極４と維持電極５に交互に維持パルスＶｓを印加することによって、壁電荷が蓄積されたセルでは走査電極４と維持電極５の間の電位差に、蓄積された壁電荷による電位を重畳したものが放電開始電圧を上回ることによって放電が発生する。この維持放電が維持期間の間繰り返し行われる。例えば、維持期間の始まりにおいては、維持電極５に印加されていた電圧Ｖｅを接地電位に変化させ、続いて走査電極４に正の電圧Ｖｓを印加する。これらの電圧と、走査電極４付近に蓄積されている正の壁電荷、維持電極５付近に蓄積されている負の壁電荷による電界を重畳した電界が放電を開始させる。書き込み放電によって壁電荷の蓄積が行われていないセルでは、電界が不足するために維持放電は起こらない。
【００１５】
所定の維持パルスが印加されたあとは、続くサブフィールドの初期化期間に入り、再び初期化放電が行われる。
【００１６】
続くサブフィールドに入る前に、所定の壁電荷の状態に調整を行うための消去動作を行う場合もある。
【００１７】
これを順次各サブフィールドについて行う。
【００１８】
各サブフィールドの初期化期間に印加する電圧波形のうち、フィールドの最初のサブフィールドとそれ以外のサブフィールドとで電圧波形を変化させる駆動方法が、特許文献１などに提案されている。例えば、図６にその２つのタイプの電圧波形の例を示す。
【００１９】
フィールドの最初のサブフィールドにおける初期化期間の電圧波形をタイプＡと呼び、図６（ａ）に、それ以外のサブフィールドにおける初期化期間の電圧波形をタイプＢと呼び、図６（ｂ）に示す。それぞれ走査電極４、維持電極５に印加する波形を並べて示している。書き込み電極１１については、ここではどちらも電圧を与えない例について示す。
【００２０】
図６（ａ）において、初期化期間の前半においては、走査電極４に徐々に電圧が上昇する電圧波形を走査電極４に印加する。最大到達電圧としては、４００Ｖ〜８００Ｖ程度で、すべての放電セルが放電する電圧に設定される。その後、初期化期間の後半においては、維持電極５に正の電圧を印加するとともに走査電極４には徐々に電圧が減少する電圧を印加する。ここでは、初期化期間の前半で蓄積されたセル内の電荷を調整し、続く書き込み期間に書き込み放電が容易に起こるようにする。
【００２１】
一方、図６（ｂ）に示すタイプＢの初期化電圧波形は、図６（ａ）に示す電圧波形の初期化期間の後半と同様の波形のみとする。
【００２２】
これは、当該サブフィールドの前に配置されたサブフィールドの維持期間の最後のパルス（図中に＊で示す）をタイプＡの波形で言えば初期化期間の前半の動作の代わりにするものである。前のサブフィールドの最後の維持パルスにおける放電で蓄積された壁電荷を、初期化期間の後半で調整して、続く書き込み期間の準備を行う。
【００２３】
これらの２つの初期化の動作において決定的に異なる点は、タイプＡの場合には、すべての放電セルが放電し、初期化の動作を行うのに対し、タイプＢの場合には、前のサブフィールドの維持期間に放電を起こしている放電セルに限って初期化の動作を行うことである。例えば、図３のようなサブフィールドの配置を仮定すると、ＳＦ２が点灯しなかったセルは、ＳＦ３の初期化期間において放電は起こらず、ここでは壁電荷の調整は行われない。ＳＦ２が点灯していなくて、ＳＦ１が点灯していたとすれば、ＳＦ２の初期化期間で調整された壁電荷の状態をＳＦ２の間保持し、その状態からＳＦ３の書き込み放電を起こす。
【００２４】
このような、初期化期間における波形をサブフィールドによって変更する駆動方法は、すべての放電セルが放電する回数を少なくすることができるため、黒表示の輝度を低減し、コントラストを高めることができる。
【００２５】
【特許文献１】
特開２０００−２１４８２３号公報
【００２６】
【発明が解決しようとする課題】
ＰＤＰにおいては、放電ミスによる「ちらつき」が発生することがある。これは、書き込み期間における書き込み放電が不安定であるために、ある確率で放電が行えず、点灯しない、という状況が起こりうるからである。そのような放電ミスが起こったサブフィールドが、輝度の重み付けの大きなサブフィールドであった場合、そのちらつきによる輝度変化が大きくなり、ちらつきとして非常に目に付きやすいものとなってしまう。また、あるサブフィールドで放電ミスが起こった場合に、続くサブフィールドにおいても同様に放電ミスが起こってしまう場合がある。そうすると、輝度変化はさらに大きくなり、ちらつきは非常に目に付きやすくなる。
【００２７】
このような放電ミスがどの程度起きるかは、放電セルの特性によって変化するが、最終的にパネルの点灯検査においてちらつきを検査すると、放電ミスの起きやすい特性を持つパネルは、検査によって不良とされてしまうことになる。すなわち、歩留を低下させる要因となる。
【００２８】
また、ディスプレイの解像度を高め、より高精細なパネルを作ろうとした場合、書き込み期間に走査するライン数が増大するため、１ラインあたりに書き込み放電に費やすことのできる期間が短くなる。放電ミスは、所定の時間内（書き込みパルスの印加されている時間内）に放電を起こすことができなかったことによって起こるものであるから、放電ミスを目立たなくすることは、高精細なＰＤＰを提供することにも貢献する。
【００２９】
本発明は、このような課題を解決するために、放電ミスが仮に起こっても、表示画像として目立ちにくくすることによって、不良表示を防止し、パネルの歩留を改善し、また高精細なパネルを提供することを目的とする。
【００３０】
【課題を解決するための手段】
上記課題を解決するために本発明の駆動方法は、１フィールドを複数のサブフィールドに分割し、かつ各サブフィールドに初期化期間、書き込み期間、維持期間を設けて駆動するプラズマディスプレイパネルの駆動方法であって、前記サブフィールドを２つ以上のサブフィールド群に分割し、前記サブフィールド群のうち、表示する輝度の最も小さいサブフィールド群をフィールドの最後に配置したものとする。これにより、放電ミスによるちらつきを目立ちにくくし、不良表示を防止することができる。
【００３１】
また、サブフィールド群のそれぞれにおいて、最初のサブフィールドの初期化期間に印加される電圧波形が、サブフィールド群において２番目以降のサブフィールドの初期化期間に印加される電圧波形とが異なり、サブフィールド群の最初のサブフィールドにおいて初期化期間に印加される電圧波形は、すべてのセルを放電させ、壁電荷を調整する電圧波形であり、サブフィールド群の２番目以降のサブフィールドにおいて初期化期間に印加される電圧波形は、サブフィールドの直前に配置されたサブフィールドを点灯させたセルのみを放電させ、壁電荷を調整するものとする。これにより、放電ミスによるちらつきを目立ちにくくし、不良表示を防止することができる。
【００３２】
【発明の実施の形態】
以下、本発明の一実施の形態について図１および図２を用いて説明する。
【００３３】
（実施の形態１）
本発明の駆動方法を適用するＰＤＰは、従来の駆動方法と同じく図３に示すＰＤＰである。
【００３４】
本発明の実施の形態１の駆動方法におけるサブフィールド分割の概念図を図１に示す。本実施の形態のＰＤＰの駆動方法は、図４に示す従来の駆動方法と同じく、１フィールド期間を複数のサブフィールドに分割する。
【００３５】
ここで、１フィールドとは、ディスプレイにおける画像表示を行う時間単位のことであり、画面がリフレッシュされる時間単位を指す。現在のテレビ放送で行われているようなインターレース方式の場合、２回のリフレッシュで全体の画面書き換えとなり、その期間を１フレームと呼ぶ。プログレッシブ表示を行う場合、フレームとフィールドは同一となる。
【００３６】
ＰＤＰにおけるサブフィールドとは、階調表示を行うための手段である。各サブフィールドがそれぞれある重みの輝度を持っており、１フィールド内に点灯するサブフィールドの組み合わせで階調を表現する。
【００３７】
最も簡単な例では、８つのサブフィールドで８ビットの階調、すなわちそれぞれ１，２，４，８，１６，３２，６４，１２８の明るさを表するものとすれば、その組み合わせによって２５６階調の表現が可能である。
【００３８】
サブフィールドの並びは、図４に示すように、通常１つのフィールド内で単調に増加、あるいは単調に減少するように配置される。それは、１フィールド内に輝度の上下による周波数成分を設けることによる画像全体のちらつき、ノイズを低減するためである。
【００３９】
また、通常は、表現する階調に対して最低限ではなく、８ビットであっても、１０〜１２程度のサブフィールド数を用い、より自然な階調表示ができるよう工夫することが多い。例えば、サブフィールド方式による階調表現では、１フィールドの中で各サブフィールドが点灯したりしなかったりといった動作を繰り返しているが、その動作と表示したい動画の画面上における「動き」との関係によって、人間の網膜上で不自然な見え方をしてしまう場合がある。これは、「動画疑似輪郭」と呼ばれ、サブフィールド法による階調表示の１つの課題となっている。階調表現するサブフィールドの数を増やし、各階調を表現する際のサブフィールドの組合せが、離散的にならないように工夫することによって、これは低減される。
【００４０】
ここでは、簡単のため図４と同様、単純な８ビットによるサブフィールド構成を例に本発明を説明する。
【００４１】
本実施の形態におけるサブフィールドの配置の例を図１に示す。サブフィールドは、表す輝度の小さい方から順にＳＦ１，ＳＦ２，…，ＳＦ８と表す。図１に示すように、本実施の形態においては、全サブフィールドをＳＦ３〜ＳＦ８から構成される第１サブフィールド群と、ＳＦ１，ＳＦ２から構成される第２サブフィールド群とに分ける。その上で、１フィールドの最初にサブフィールド群１のサブフィールドを、輝度の小さい方から順に、ＳＦ３，ＳＦ４，…，ＳＦ８というように配置する。それに引き続き、第２サブフィールド群のサブフィールドを輝度の小さい方から順にＳＦ１，ＳＦ２と配置する。
【００４２】
８つのサブフィールドのうち、ＳＦ３、すなわちフィールドの最初に配置されたサブフィールドと、それ以外のサブフィールドとで、初期化期間に与える電圧波形を異なるようにする。
【００４３】
ＳＦ３の初期化期間は、図６（ａ）に示すようなタイプＡの電圧波形を、それ以外のサブフィールドの初期化期間には図６（ｂ）に示すようなタイプＢの電圧波形を印加する。
【００４４】
タイプＡとタイプＢの電圧波形については、すでに説明した通り、タイプＡはすべての放電セルを放電させ、壁電荷をリセットした後に壁電荷を調整する波形、タイプＢはその前のサブフィールドの維持期間に放電が起こっていた放電セルのみ、壁電荷の調整を行うものである。
【００４５】
このように初期化期間に与える電圧波形をサブフィールドで異なるものとした場合、あるサブフィールドで書き込み放電が何らかの理由で起きなかった場合に、続くサブフィールドでも書き込み放電が起きなくなってしまうという不具合が起きやすい。すべてのセルが放電するような初期化動作をさせる電圧波形を印加しないため、書き込み放電のミスによって、壁電荷の状態が初期化期間に調整された状態から変化してしまったものは再調整できないからである。
【００４６】
このように、あるサブフィールドと続くサブフィールドとが続けて書き込み放電をミスしてしまうと、本来点灯すべき明るさに対して実際に点灯した明るさが暗くなってしまい、表示としてはちらつきのように見え、不良表示となってしまう。
【００４７】
ここで、書き込み放電のミスというのは、次の要因によって起きやすくなったり起きにくくなったりする。
【００４８】
まずはパネルの特性であり、各部分の材料特性や各構成物のサイズなどで起きやすかったり起きにくくなったりする。ある程度、設計として定められる部分と、製造条件の上でばらつきにより発生する部分がある。特に後者は製造歩留に影響する。
【００４９】
次に、当該放電セルの周囲のセルの状態である。当該放電セルが書き込み放電を起こそうとする直前に、隣接する放電セルが書き込み放電を行っていた場合、書き込みのミスは非常に発生しにくくなる。それは、隣接セルの書き込み放電によって放電空間に発生した空間電荷が、続く当該放電セルの放電を開始する「種火」として働くためで、「プライミング効果」と呼ばれる。
【００５０】
次に、当該セルにおいて、当該サブフィールドより前のサブフィールドの状態である。当該サブフィールドの前のサブフィールドが点灯していると、その維持期間の放電によって発生した空間電荷によるプライミング効果で、放電ミスが起こりにくくなる。また、この効果は前のサブフィールドで印加される維持パルスの数が多いほど、すなわち前のサブフィールドの輝度が高いほど大きい。
【００５１】
これらの点を考えると、プライミング効果の点で書き込みミスが起きやすい条件というのは、（１）比較的低い階調、（２）周りに点灯しているセルのない、「孤立点」の状態、と言える。パネルの特性上、書き込みミスが起きやすいパネルができあがってしまった場合、このような表示画像を点灯させたときにちらつきや不良表示となり、パネルは不良となってしまう。
【００５２】
一方、動画や自然画などの階調の複雑な画像を表現する場合、ディザ法、誤差拡散法といった信号処理によってより豊かな階調表現を行うことができるが、この処理は、空間的に「孤立点」を多く作るため、書き込みミスを起こしやすい。特に、誤差拡散法などで孤立点になりやすいのは、サブフィールドのうちで輝度の低いサブフィールドである。
【００５３】
例えば、比較的低い階調、すなわち２５６階調のうち２０〜８０といったレベルの階調をディザ法、誤差拡散法で表現した場合、ＳＦ１やＳＦ２といった輝度の低いサブフィールドを孤立点として表現しなくてはならない場合がある。ここで、図４に示すような従来のサブフィールド配置の場合、ＳＦ１，ＳＦ２などで書き込み放電のミスが起こると続くＳＦ３以降のサブフィールドも続けてミスしてしまう場合がある。複数のサブフィールドが続けてミスとなってしまうと、本来表現すべき階調に対して実際に点灯できた輝度が小さくなってしまうため、ちらつきが目立ちやすい。
【００５４】
これに対して、図１に示すような本実施の形態のサブフィールドの配置であれば、孤立点となりやすいＳＦ１，ＳＦ２はフィールドの最後に配置されており、これらのサブフィールドのミスが続くサブフィールドに影響を及ぼすことがない。続くフィールドの最初には、図６（ａ）に示すような、すべての放電セルの状態をリセットするようなタイプＡの初期化波形が印加されるため、ＳＦ１やＳＦ２の書き込み放電のミスが影響することはない。
【００５５】
また、図１に示すようなサブフィールド配置の場合、比較的輝度の高いＳＦは孤立点となりにくい上に上で述べた書き込みミスに影響する要因の３番目の理由から、書き込みミスが起こりにくい。
【００５６】
サブフィールドの並びとしては、図１に示したように、第１のサブフィールド群、第２のサブフィールド群それぞれ輝度が低い方から高い方に向かう順番で配置する。このような配置にすることにより、フィールドの最後のＳＦ２の後には次のフィールドのＳＦ３が続くため、サブフィールドによる輝度の変化は、１フィールドと同じ周期で増減することになる。この周期が一致しないと、表示にちらつきやノイズ感が感じられることがあることが知られている。
【００５７】
このようにして、本実施の形態のサブフィールドの配置によれば、仮に書き込み放電のミスが起きたとしても、目立ちにくく、表示上の重大な欠陥となりにくい。
【００５８】
なお、ここではＳＦ１とＳＦ２を第２のサブフィールド群に含めたが、ＳＦ１からＳＦ３までの３つのサブフィールドとしてもよいし、ＳＦ１のみとしてもよい。構成するサブフィールドの数や信号処理の方法などによって効果の大きさは異なる。
【００５９】
また、ここではサブフィールドの数は８つとして説明したが、サブフィールドの数が９つ以上の場合でも、同様の効果は得られる。
【００６０】
（実施の形態２）
本発明の実施の形態２による駆動方法について、図２を用いて説明する。
【００６１】
本実施の形態においては、サブフィールドの並び方は実施の形態１と同様である。異なる点は、第２のサブフィールド群であるＳＦ１，ＳＦ２のうち、最初に位置するＳＦ１の初期化期間に印加する電圧波形を、ＳＦ３に印加する電圧波形と同じ、タイプＡの波形とする。これによって、仮に第１のサブフィールド群中のサブフィールドが書き込み放電をミスしても、その影響が第２のサブフィールド群中のサブフィールドに影響することがない。
【００６２】
なお、本発明において、初期化期間に印加する電圧波形のうちタイプＡの初期化波形は、図６（ａ）に示すような波形で説明したが、すべての放電セルを放電させるような波形であれば、このような波形に限らず、例えば前半部分は緩やかに変化する波形でなく、矩形の波形でも良い。
【００６３】
また、本発明を適用するプラズマディスプレイパネルは、走査電極４、維持電圧５、書き込み電極１１で駆動するＡＣ型プラズマディスプレイパネルであれば、詳細な構造は任意である。
【００６４】
【発明の効果】
以上のように本発明は、１フィールドを複数のサブフィールドに分割して駆動する駆動方法において、サブフィールドを複数のサブフィールド群に分け、表示する輝度の最も低いサブフィールド群をフィールドの最後に配置することにより、ディザ法や誤差拡散法による画像表示の場合に、書き込み放電のミスが起こっても、それが視覚的に目立つちらつきや欠陥に発展することがない。
【図面の簡単な説明】
【図１】本発明の実施の形態１によるプラズマディスプレイパネルの駆動方法において、サブフィールド構成を示す説明図
【図２】本発明の実施の形態２によるサブフィールドの構成を示す説明図
【図３】ＡＣ型プラズマディスプレイパネルを示す斜視図
【図４】従来のサブフィールド構成を示す説明図
【図５】従来の駆動方法による電圧波形を示す波形図
【図６】（ａ）はタイプＡの初期化電圧波形を示す波形図
（ｂ）はタイプＢの初期化電圧波形を示す波形図
【符号の説明】
１  パネル
２  表面基板
３  背面基板
４  走査電極
４Ａ，５Ａ  金属母線
４Ｂ，５Ｂ  透明電極
５  維持電極
６  誘電体層
７  保護層
８  隔壁
９  蛍光体層
１０  誘電体層（第２誘電体層）
１１  書き込み電極
【図１】
2005004044.tif 000003
【図２】
2005004044.tif 000004
【図３】
2005004044.tif 000005
【図４】
2005004044.tif 000006
【図５】
2005004044.tif 000007
【図６】
2005004044.tif 000008